(57)【要約】【課題】  目隠し片を取り付けずに見栄えよく配線を行える多人数用ロッカーを提供する。【解決手段】  左右の側板、天板、背板、底部によって直方体状に形成された筐体内を少なくとも高さ方向に延びる仕切板によって複数の収納部に区画する多人数用ロッカーである。側板及び仕切板に、それぞれ高さ方向に延びる縦配線スペースを設ける。縦配線スペースの少なくとも１つを、底部内に設けられた電源を収納する電源収納スペースに連通させる。天板に、天板上面より下方に配置されて幅方向に延びる横配線スペースを設ける。横配線スペースと縦配線スペースとを連通させて、複数の収納部に電源からの配線を前記スペースを介して通すようにした。【選択図】  図１
2015107211.tif 000002
【特許請求の範囲】
【請求項１】
左右の側板、天板、背板、底部によって直方体状に形成された筐体内を少なくとも高さ方向に延びる仕切板によって複数の収納部に区画する多人数用ロッカーであって、
前記側板及び仕切板に、それぞれ高さ方向に延びる縦配線スペースを設け、
前記縦配線スペースの少なくとも１つを、前記底部内に設けられた電源を収納する電源収納スペースに連通させ、
前記天板に、天板上面より下方に配置されて幅方向に延びる横配線スペースを設け、
前記横配線スペースと前記縦配線スペースとを連通させて、
前記複数の収納部に前記電源からの配線を前記スペースを介して通すようにしたことを特徴とする多人数用ロッカー。
【請求項２】
前記横配線スペースは、前記天板の上面が下方に窪んだ凹部によって形成されている請求項１に記載の多人数用ロッカー。
【請求項３】
前記凹部は、取り外し可能な天蓋部材で閉じられている請求項２に記載の多人数用ロッカー。
【請求項４】
前記横配線スペースは、前記天板の前方に形成され、
前記縦配線スペースは、前記側板の前方に形成されている縦枠及び前記仕切板の前方に形成されている縦枠によって区画されている請求項１〜３のいずれか１項に記載の多人数用ロッカー。
【請求項５】
前記筐体は、左右の側板、天板、背板及び底部からなる筐体ユニットを複数並列してなる請求項１〜４のいずれか１項に記載の多人数用ロッカー。
【請求項６】
前記電源が入れられた電源ボックスが前記電源収納スペースに収納され、
前記底部は、前記筐体内の底面を形成する底板を有し、
前記底板には、前記電源ボックスを出し入れする開口部が設けられ、
当該開口部は、取り外し可能な底蓋部材で閉じられている請求項１〜５のいずれか１項に記載の多人数用ロッカー。
【請求項７】
前記横配線スペースに、照明器具を設けた請求項１〜６のいずれか１項に記載の多人数用ロッカー。
【発明の詳細な説明】
【技術分野】
【０００１】
本発明は、スポーツクラブやスイミングスクールなどのような各種の施設（学校、事業所などを含む、以下、同じ）において、多人数で使用する多人数用ロッカーに関するものである。
【背景技術】
【０００２】
スポーツクラブ等の施設においては、更衣室などに多数のメンバーなどが着替え時などに使用する多人数用ロッカーが設置されることが多いが、多数の人がスペース的に効率よく、また、使い易く各人用の収納部（個々のロッカー）を利用できるようにするため、様々な工夫を凝らした多人数用ロッカーが使用されている。
【０００３】
上記のような多人数用ロッカーは、大きな筐体内を複数人で利用するために複数に区画して複数のロッカーを形成し、各ロッカーに、それぞれ蝶番乃至ヒンジ式の扉を取付けた状態のものが大半である。各ロッカーには、各扉を施錠する電気施錠装置、ロッカー内や足元を照明する照明器具などの電気装置が取り付けられたものがある。前記電気施錠装置や電気装置は、コードを介して筐体の底部側に配線された電源に接続されているが、そのコードが、筐体の天板上を配線されることが多い。この場合、天板上のコードは、天板の上面を這わせているため、ロッカーを例えば前方から見たとき、天板上のコードが目に入って見栄えが悪い。
【０００４】
このため、筐体の天板上面の前端及び側端に、コードを目隠しする目隠し片を取り付けることが提案されている（例えば、特許文献１参照。）。しかしながら、目隠し片を例えば後から取り付ける場合には、特に天板と天井との間隔が狭いと、目隠し片を取り付る作業が行い難く、また、目隠し片の色や材質等がロッカーと異なると、見栄えが悪くなる。
【先行技術文献】
【特許文献】
【０００５】
【特許文献１】特許第３６６００３９号公報
【発明の概要】
【発明が解決しようとする課題】
【０００６】
本発明が解決しようとする課題は、目隠し片を取り付けずに見栄えよく配線を行える多人数用ロッカーを提供することにある。
【課題を解決するための手段】
【０００７】
前記課題を解決するため、本発明に係る多人数用ロッカーは、左右の側板、天板、背板、底部によって直方体状に形成された筐体内を少なくとも高さ方向に延びる仕切板によって複数の収納部に区画する多人数用ロッカーであって、前記側板及び仕切板に、それぞれ高さ方向に延びる縦配線スペースを設け、前記縦配線スペースの少なくとも１つを、前記底部内に設けられた電源を収納する電源収納スペースに連通させ、前記天板に、天板上面より下方に配置されて幅方向に延びる横配線スペースを設け、前記横配線スペースと前記縦配線スペースとを連通させて、前記複数の収納部に前記電源からの配線を前記スペースを介して通すようにしたことを特徴とする。
【０００８】
このように、天板に設けた横配線スペースは、天板上面より下方に配置されているので、ロッカーを例えば前方から見たとき、天板上からコードが目に入ることを無くせ、目隠し片を取り付けずに見栄えよく配線を行えることになる。
【０００９】
この発明では、横配線スペースを、天板の上面が下方に窪んだ凹部によって形成することができ、凹部を、取り外し可能な天蓋部材で閉じることができる。また、横配線スペースを、天板の前方に形成し、縦配線スペースを、側板の前方に形成されている縦枠及び仕切板の前方に形成されている縦枠によって区画することができる。さらに、筐体を、左右の側板、天板、背板及び底部からなる筐体ユニットを複数並列して構成することができる。また、電源が入れられた電源ボックスを電源収納スペースに収納し、底部が筐体内の底面を形成する底板を有し、底板に、電源ボックスを出し入れ可能にする開口部を設け、開口部を、取り外し可能な底蓋部材で閉じることができる。さらに、横配線スペースに、照明器具を設けることができる。
【００１０】
本発明によれば、目隠し片を取り付けずに見栄えよく配線を行える。
【図面の簡単な説明】
【００１１】
【図１】本発明に係る実施形態の一例の多人数用ロッカーを示す斜視図である。
【図２】本実施形態の多人数用ロッカーを示す平面図である。
【図３】本実施形態の多人数用ロッカーを示す平断面図である。
【図４】本実施形態の多人数用ロッカーの天板の要部を示す側断面図である。
【図５】本実施形態の多人数用ロッカーを示す正面図である。
【図６】本実施形態の多人数用ロッカーの底部の一例を示す斜視図である。
【図７】本実施形態の他の一例の多人数用ロッカーの天板の要部を示す側断面図である。
【発明を実施するための形態】
【００１２】
以下、本発明に係る多人数用ロッカーの一実施形態を添付図面に基づいて説明する。図１〜図６に示すように、本実施形態の多人数用ロッカー１は、例えば、冷間圧延鋼板などの鋼板等により、左右の側板３、４、天板５、背板６、底部７によって前面が開口された直方体状に形成されている筐体２を有している。
【００１３】
筐体２は、例えば、高さ方向に延びる２つの仕切板（縦仕切板８）と幅方向に延びる１つの仕切板（横仕切板）により６人用３列２段（合計６個）の収納部（ロッカー）１０に区画されている。収納部１０の段数は、２段に限定されず、１段でも３段以上でもよい。収納部１０の列数は、３列に限定されず、２列でも４列以上でもよい。また、筐体２は、単列の筐体ユニットを複数並列して構成してもよいし、複数列の筐体ユニットを複数並列してもよいし、単列の筐体ユニットと複数列の筐体ユニットを適宜組み合わせて複数並列してもよい。
【００１４】
筐体２の６個の収納部１０の各開口部には、ヒンジ式の扉１１が取り付けられている。各扉１１には、手掛かり部を有する電気施錠装置１２が取り付けられている。また、各収納部１０に、収納部１０内や足元を照明する照明器具やコンセントなどの電気装置を設けるようにしてもよい。
【００１５】
左右の側板３、４には、前後の端部に補強の骨となる例えば矩形筒状の縦枠３１、４１が形成されている。縦枠３１、４１は、例えば、前後の端部を折り曲げて形成される。この縦枠３１、４１は、側板３、４の上端から下端まで高さ方向に延びて形成されており、前方の縦枠３１、４１内は、コードを配線する側縦配線スペース３２、４２として形成されている。側縦配線スペース３２、４２を形成する縦枠３１、４１は、側板３、４の端部を折り曲げて形成したが、これに限定されず、例えば、筒状等のダクトやコ字状部材等を側板３、４に固定して形成するようにしてもよい。また、側縦配線スペース３２、４２を形成する箇所は、側板３、４の前方が好ましいが、これに限定されず、中央でも後方でもその他の箇所でもよい。
【００１６】
縦仕切板８には、前端部に補強の骨となる例えば凸形筒状の縦枠８１が形成されている。縦枠８１は、例えば、前端部を折り曲げて形成される。縦枠８１は、縦仕切板８の上端から下端まで高さ方向に延びて形成されており、縦枠３１、４１内が、コードを配線する仕切縦配線スペース８２として形成されている。仕切縦配線スペース８２を形成する縦枠８１は、縦仕切板８の前端部を折り曲げて形成したが、これに限定されず、例えば、筒状等のダクトやコ字状部材等を縦仕切板８に固定して形成するようにしてもよい。また、仕切縦配線スペース８２を形成する箇所は、側縦配線スペース３２、４２と同様に縦仕切板８の前方が好ましいが、これに限定されず、中央でも後方でもその他の箇所でもよい。
【００１７】
底部７は、筐体２内の底面を形成する底板７１と、底板７１より下方に間隔をあけて設けられた筐体２の下面である地板７２とを備えている。底板７１と地板７２との間は、電源を収納する電源収納スペース７３として形成されている。この電源収納スペース７３に、電源を入れた電源ボックス１３が収納される。電源ボックス１３は、鋼板や合成樹脂板等で形成されている。電源ボックス１３は、例えば、上面が開放された直方体状に形成されている。電源ボックス１３の４つの辺の各上端部には、上端部が外方に折り曲げられたフランジ１３ａが設けられている。電源ボックス１３の両側面には、コードを通す配線穴１３ｂが設けられている。なお、配線穴１３ｂは、一方の側面のみに設けるようにしてもよい。
【００１８】
例えば一番左側の下段の収納部１０を形成する底板７１には、開口部７４が設けられている。開口部７４の大きさは、電源ボックス１３が挿入されるとともに、電源ボックス１３のフランジ１３ａが開口部７４を形成する底板７１の縁に載置する矩形状に形成されている。これにより、電源ボックス１３を開口部７４に挿入して電源ボックス１３のフランジ１３ａを底板７１に載置することで、電源ボックス１３を底板７１と地板７２との間すなわち底部７内の電源収納スペース７３に収納し得るようになっている。開口部７４が設けられている底板７１には、底板７１の幅方向の全体を覆う底蓋部材７５が取り外し可能に取り付けられて、開口部７４が閉じられている。なお、底蓋部材７５は、開口部７４のみを覆って閉じるように形成してもよい。
【００１９】
底部７内の側板４の縦枠４１は、側縦配線スペース４２と電源収納スペース７３とが連通するように形成されている。これにより、電源ボックス１３に収納した電源からの配線を配線穴１３ｂ及び電源収納スペース７３を介して側縦配線スペース４２に通すことができるようになっている。なお、電源収納スペース７３に側縦配線スペース４２を連通するようにしたが、これに限定されず、仕切縦配線スペース８２や側縦配線スペース３２のうちの１つの縦配線スペースを電源収納スペース７３に連通させるようにしてもよいし、側縦配線スペース３２、４２、仕切縦配線スペース８２のうちの２つ以上の縦配線スペースを電源収納スペース７３に連通させるようにしてもよい。図５中の符号４５は、この筐体２を筐体ユニットとして、この筐体の左側に別の筐体ユニットを並べたとき、この別の筐体ユニットへの配線を行うための配線穴を示す。
【００２０】
天板５は、例えば、矩形平板状に形成されている。天板５の両側端部５ｂは、上方に折り重ねられている。天板５の前方には、下方に凹状に窪んで内部が横配線スペース５２（天板配線スペース）となる凹部５１が形成されている。凹部５１は、例えば、天板５の前端部５ａを折り曲げて形成されている。すなわち、天板５の前端部５ａを、下方に９０度、前方に９０度、上方に９０度折り曲げて、凹部５１が形成されている。さらに、前端部５ａを、天板５の上面と面一になるように後方に９０度折り曲げてから下方に９０度折り曲げられている。
【００２１】
凹部５１の幅及び高さ（深さ）は、コードを収納し得る寸法、すなわち、凹部５１内にコードを収納したとき、コードが天板５上面から突出しない浅底となる寸法で形成されている。なお、横配線スペース５２は、天板５の前端部５ａを折り曲げて形成された凹部５１によって区画されているが、これに限定されず、天板５の前端部５ａを折り曲げて形成されたダクトによって区画されていてもよいし、ダクトなどの別部材を天板５に取り付けて横配線スペース５２を形成するようにしてもよい。
【００２２】
横配線スペース５２を形成する箇所は、側縦配線スペース３２、４２や仕切縦配線スペース８２と同様に天板５の前方が好ましいが、これに限定されず、中央でも後方でもその他の箇所でもよい。また、横配線スペース５２例えば凹部５１内には、照明器具が設けられていることが好ましい。照明器具としては、天井に反射させた反射光を多人数用ロッカー１の周辺にあてて明るくするものが好ましい。照明器具は、凹部５１内に１つ設けてもよいし、凹部５１内にその長手方向に間隔をあけて２つ以上設けてもよい。このように、照明器具を設けることで、多人数用ロッカー１の周辺を明るくすることができる。
【００２３】
凹部５１は、取り外し可能な天板蓋部材５０で閉じられている。天板蓋部材５０は、冷間圧延鋼板などの鋼板や透明などの合成樹脂板等で形成されている。天板蓋部材５０は、凹部内に照明装置を設けた場合には、照明装置からの光を透過して多人数用ロッカー１の周辺を明るくし得る材料で形成されていることが好ましい。
【００２４】
天板蓋部材５０は、天板５の幅方向に細長の矩形平板状の基部５０ａと、基部の両側部５０ｂに形成されている。基部５０ａの長手方向の長さは、天板５の幅方向の長さより短い、例えば、天板５の幅方向より少し短い寸法で形成されている。基部５０ａの短手方向の長さは、凹部５１の短手方向（天板５の前後方向）の長さより短い、例えば、若干短い寸法で形成されている。両側部５０ｂの長さは、例えば、天板蓋部材５０を凹部５１に嵌合させることにより、天板蓋部材５０で凹部５１を閉じたとき、基部５０ａの上面と天板５上面とが面一になる寸法で形成されていることが好ましい。
【００２５】
凹部５１の両端部は、左右の側板３、４の上方に位置されている。凹部５１の両端部には、左右の側板３、４の側縦配線スペース３２、４２と横配線スペース５２を連通させる矩形状の開口部５３、５４が設けられている。また、凹部５１には、２つの仕切縦配線スペース８２と横配線スペース５２を連通させる凸形状の開口部５５が設けられている。
なお、筐体２を複数の筐体ユニットで形成する場合、各筐体ユニットの天板にそれぞれ凹部を形成して横配線スペースを設けるとともに、隣接する２つの筐体ユニットの横配線スペースに対応する側板に配線穴１８を設けて（図７参照。）、複数の筐体ユニットの横配線スペースを連通させるようにしてもよい。
【００２６】
以上より、横配線スペース５２と側縦配線スペース３２、４２及び仕切縦配線スペース８２が連通され、かつ、左側の側縦配線スペース４２が電源収納スペース７３に連通されていることにより、電気施錠装置１２、電気装置、照明器具をコードを介して底部７の電源ボックス１３に収納した電源に接続することが可能となる。すなわち、各収納部１０に電源からの配線を前記スペース７３、４２，３２、５２、８２を介して通すことができる。このとき、天板５に配線されるコードは、横配線スペース５２に収納されて、天板５上面から突出しないようにすることができるので、多人数用ロッカー１を例えば前方から見たとき、天板５上からコードが目に入ることを防止でき、目隠し片を取り付けずに見栄えよく配線を行える。
【００２７】
横配線スペース５２を形成する凹部５１が天板蓋部材５０で閉じられていると、確実に天板５上面からコードが突出することを防止でき、かつ、見栄えを一層良くすることができる。また、横配線スペース５２、側縦配線スペース３２、４２及び仕切縦配線スペース８２が多人数用ロッカー１の前方に形成されていることで、多人数用ロッカー１を設置した後に配線を容易に行え、かつ、メンテナンスも行い易い。
【００２８】
電源は、電源ボックス１３に入れられ、この電源ボックス１３が底板７１の開口部７４から底板７１と地板７２との間の電源収納スペース７３に収納され、その開口部７４が取り外し可能な底蓋部材７５で閉じられていることで、底蓋部材７５を取り外すだけで、電源の点検等を行え、かつ、電源（電源ボックス１３）を開口部７４から取り出すことで、電源の交換やメンテナンス等を容易に行える。
【符号の説明】
【００２９】
１  多人数用ロッカー
２  筺体
３  側板
４  側板
５  天板
６  背板
７  底部
８  縦仕切板
１０  収納部（ロッカー）
１３  電源ボックス
３１  縦枠
３２  側縦配線スペース
４１  縦枠
４２  側縦配線スペース
５０  天蓋部材
５１  凹部
５２  横配線スペース
７１  底板
７３  電源収納スペース
７４  開口部
７５  底蓋部材
８１  縦枠
８２  仕切縦配線スペース
【図１】
2015107211.tif 000003
【図２】
2015107211.tif 000004
【図３】
2015107211.tif 000005
【図４】
2015107211.tif 000006
【図５】
2015107211.tif 000007
【図６】
2015107211.tif 000008
【図７】
2015107211.tif 000009